(57)【要約】【課題】  乗用型田植機において、フロートによる苗植付装置の姿勢の安定化を図り、フロートによる田面の整地性能を向上させる。【解決手段】  右及び左の前輪の間隔と右及び左の後輪の間隔２とを略同じものに設定して、右及び左の後輪２に亘る横幅を備えたフロート２４を苗植付装置に上下動自在に備える。右の前輪及び後輪２の通過跡に対応するフロート２４の底部２４ｄ、左の前輪及び後輪２の通過跡に対応するフロート２４の底部２４ｄを、植付機構の植付位置に対応するフロート２４の底部２４ａ，２４ｃよりも高くする。【選択図】        図１３
2005333819.tif 000002
【特許請求の範囲】
【請求項１】
左右に操向操作自在な右及び左の前輪を備え、右及び左の後輪を備えて、右及び左の前輪と右及び左の後輪とにより機体を支持し、上下に昇降駆動自在なリンク機構を機体の後部に備えて、複数の植付条に対応する植付機構を備えた苗植付装置を前記リンク機構に支持すると共に、
右及び左の前輪の間隔と右及び左の後輪の間隔とを略同じものに設定し、右及び左の後輪に亘る横幅を備えたフロートを前記苗植付装置に上下動自在に備えて、
右の前輪及び後輪の通過跡に対応する前記フロートの底部、左の前輪及び後輪の通過跡に対応する前記フロートの底部を、前記植付機構の植付位置に対応するフロートの底部よりも高くなるように構成してある乗用型田植機。
【請求項２】
機体の後部に備えられた後輪支持ケースの右及び左側部に軸支持部を備え、前記後輪支持ケースの右及び左の軸支持部から右及び左の後輪支持軸を横外方に延出して、前記右及び左の後輪支持軸に右及び左の後輪を支持すると共に、
前記後輪支持ケースの右及び左の軸支持部の位置に対応する前記フロートの底部を、前記植付機構の植付位置に対応するフロートの底部よりも高くなるように構成してある請求項１に記載の乗用型田植機。
【請求項３】
田面に接地追従する前記フロートに対する苗植付装置の高さを検出する検出部を、前記リンク機構と苗植付装置との接続部分の右又は左横側に配置すると共に、
前記検出部の検出に基づいて苗植付装置が田面から設定高さに維持されるように、前記リンク機構により苗植付装置が自動的に昇降駆動されるように構成してある請求項１又は２に記載の乗用型田植機。
【請求項４】
機体の動力を前記苗植付装置に伝達する伝動軸を、前記リンク機構と苗植付装置との接続部分における検出部とは反対側の右又は左横側に配置してある請求項３に記載の乗用型田植機。
【請求項５】
前記伝動軸の下方に対応するフロートの上部に、前記伝動軸との干渉を避ける凹部を備えてある請求項４に記載の乗用型田植機。
【発明の詳細な説明】
【技術分野】
【０００１】
本発明は、乗用型田植機において苗植付装置に備えられたフロートの構成に関する。
【背景技術】
【０００２】
乗用型田植機では例えば特許文献１に開示されているように、上下に昇降駆動自在なリンク機構を機体の後部に備えて、苗植付装置をリンク機構に支持したものがあり、特許文献１では、右及び左の後輪に亘る横幅を備えたフロートを苗植付装置に上下動自在に備えている。これにより、フロートが苗植付装置に対して上下動することにより、機体の進行に伴ってフロートが田面に接地追従するのであり、フロートにより苗植付装置の姿勢の安定化が行われ、フロートにより田面の整地が行われる。
【０００３】
【特許文献１】実開平５−１３１２２号公報
【発明の開示】
【発明が解決しようとする課題】
【０００４】
乗用型田植機が水田を走行する際、前輪及び後輪が田面に入り込むと、前輪及び後輪により田面に溝が掘られようとするのに加えて、溝の両側に小さな泥の山が盛り上げられようとするので、前輪及び後輪の通過跡は凹凸が比較的激しいものとなっている。
これにより、特許文献１のように、右及び左の後輪に亘る横幅を備えたフロートを苗植付装置に上下動自在に備えた場合、前輪及び後輪の通過跡をフロートが通過すると、フロートが激しく上下動することがあるので、フロートによる苗植付装置の姿勢の安定化及びフロートによる田面の整地と言う面で改善の余地がある。
本発明は、上下に昇降駆動自在なリンク機構を機体の後部に備えて、苗植付装置をリンク機構に支持した乗用型田植機において、フロートによる苗植付装置の姿勢の安定化を図り、フロートによる田面の整地性能を向上させることを目的としている。
【課題を解決するための手段】
【０００５】
［Ｉ］
（構成）
本発明の第１特徴は、乗用型田植機において次のように構成することにある。
左右に操向操作自在な右及び左の前輪を備え、右及び左の後輪を備えて、右及び左の前輪と右及び左の後輪とにより機体を支持し、上下に昇降駆動自在なリンク機構を機体の後部に備えて、複数の植付条に対応する植付機構を備えた苗植付装置をリンク機構に支持する。右及び左の前輪の間隔と右及び左の後輪の間隔とを略同じものに設定する。右及び左の後輪に亘る横幅を備えたフロートを苗植付装置に上下動自在に備える。右の前輪及び後輪の通過跡に対応するフロートの底部、左の前輪及び後輪の通過跡に対応するフロートの底部を植付機構の植付位置に対応するフロートの底部よりも高くなるように構成する。
【０００６】
（作用）
本発明の第１特徴によると、右及び左の前輪の間隔と右及び左の後輪の間隔とを略同じものに設定しており、右の前輪の通過跡を右の後輪が通過することになり、左の前輪の通過跡を左の後輪が通過することになるので、右の前輪及び後輪の通過跡、左の前輪及び後輪の通過跡の２つの通過跡ができることになる。
【０００７】
本発明の第１特徴によると、右の前輪及び後輪の通過跡に対応するフロートの底部、左の前輪及び後輪の通過跡に対応するフロートの底部を、植付機構の植付位置に対応するフロートの底部よりも高くなる（浅くなる）ように構成しているので、右の前輪及び後輪の通過跡に対応するフロートの底部、左の前輪及び後輪の通過跡に対応するフロートの底部は、田面にあまり入り込まない状態（沈下しない状態）となる。
【０００８】
これにより、本発明の第１特徴によると、右の前輪及び後輪の通過跡に対応するフロートの底部が右の前輪及び後輪の通過跡にあまり強く押圧されない状態となり、左の前輪及び後輪の通過跡に対応するフロートの底部が左の前輪及び後輪の通過跡にあまり強く押圧されない状態となるので、右の前輪及び後輪の通過跡、左の前輪及び後輪の通過跡によってフロートが激しく上下動する状態を生じ難くしながら、フロートにより右の前輪及び後輪の通過跡、左の前輪及び後輪の通過跡の整地を適切に行うことができる。
【０００９】
（発明の効果）
本発明の第１特徴によると、上下に昇降駆動自在なリンク機構を機体の後部に備え、苗植付装置をリンク機構に支持した乗用型田植機において、右の前輪及び後輪の通過跡、左の前輪及び後輪の通過跡によってフロートが激しく上下動する状態を生じ難くしながら、フロートにより右の前輪及び後輪の通過跡、左の前輪及び後輪の通過跡の整地を適切に行うことができて、フロートによる田面の整地性能を向上させることができた。右の前輪及び後輪の通過跡、左の前輪及び後輪の通過跡によってフロートが激しく上下動する状態が生じ難いことにより、フロートによる苗植付装置の姿勢の安定化を図ることができた。
【００１０】
［ＩＩ］
（構成）
本発明の第２特徴は、本発明の第１特徴の乗用型田植機において次のように構成することにある。
機体の後部に備えられた後輪支持ケースの右及び左側部に軸支持部を備え、後輪支持ケースの右及び左の軸支持部から右及び左の後輪支持軸を横外方に延出して、右及び左の後輪支持軸に右及び左の後輪を支持する。後輪支持ケースの右及び左の軸支持部の位置に対応するフロートの底部を、植付機構の植付位置に対応するフロートの底部よりも高くなるように構成する。
【００１１】
（作用）
本発明の第２特徴によると、本発明の第１特徴と同様に前項［Ｉ］に記載の「作用」を備えており、これに加えて以下のような「作用」を備えている。
機体の後部に備えられた後輪支持ケースの右及び左側部に軸支持部を備え、後輪支持ケースの右及び左の軸支持部から右及び左の後輪支持軸を横外方に延出して、右及び左の後輪支持軸に右及び左の後輪を支持するように構成した場合、右及び左の後輪支持軸を充分な強度で支持する必要がある点、大径の減速ギヤが内装される点等によって、後輪支持ケースの右及び左の軸支持部は比較的大きなものになり易く、田面に比較的近いものとなっている（比較的下方に位置するものとなっている）。
これにより、深い水田の場合に、後輪支持ケースの右及び左の軸支持部が田面に接し易い状態となっており、後輪支持ケースの右及び左の軸支持部の通過跡が田面にできることがあり、後輪支持ケースの右及び左の軸支持部の通過跡は凹凸が比較的激しいものとなることがある。
【００１２】
本発明の第２特徴によると、後輪支持ケースの右及び左の軸支持部の位置に対応するフロートの底部を、植付機構の植付位置に対応するフロートの底部よりも高くなる（浅くなる）ように構成している。これにより、本発明の第２特徴によると、後輪支持ケースの右及び左の軸支持部の位置に対応するフロートの底部が後輪支持ケースの右及び左の軸支持部の通過跡にあまり強く押圧されない状態となるので、後輪支持ケースの右及び左の軸支持部の通過跡によってフロートが激しく上下動する状態を生じ難くしながら、フロートにより後輪支持ケースの右及び左の軸支持部の通過跡の整地を適切に行うことができる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、後輪支持ケースの右及び左の軸支持部の通過跡によってフロートが激しく上下動する状態を生じ難くしながら、フロートにより後輪支持ケースの右及び左の軸支持部の通過跡の整地を適切に行うことができて、フロートによる田面の整地性能を向上させることができた。後輪支持ケースの右及び左の軸支持部の通過跡によってフロートが激しく上下動する状態が生じ難いことにより、フロートによる苗植付装置の姿勢の安定化を図ることができた。
【００１４】
［ＩＩＩ］
（構成）
本発明の第３特徴は、本発明の第１又は第２特徴の乗用型田植機において次のように構成することにある。
田面に接地追従するフロートに対する苗植付装置の高さを検出する検出部を、リンク機構と苗植付装置との接続部分の右又は左横側に配置して、検出部の検出に基づいて苗植付装置が田面から設定高さに維持されるように、リンク機構により苗植付装置が自動的に昇降駆動されるように構成する。
【００１５】
（作用）
本発明の第３特徴によると、本発明の第１又は第２特徴と同様に前項［Ｉ］［ＩＩ］に記載の「作用」を備えており、これに加えて以下のような「作用」を備えている。
乗用型田植機ではフロートを苗植付装置に上下動自在に備えた場合、田面に接地追従するフロートに対する苗植付装置の高さを検出する検出部を備え、検出部の検出に基づいて苗植付装置が田面から設定高さに維持されるように（苗の植付深さが設定値に維持されるように）、リンク機構により苗植付装置が自動的に昇降駆動されるように構成する。
【００１６】
本発明の第３特徴によると、前述の検出部をリンク機構と苗植付装置との接続部分の右又は左横側に配置しているので、リンク機構により苗植付装置が自動的に昇降駆動されても、リンク機構と苗植付装置との接続部分が検出部に干渉するようなことがなく、リンク機構による苗植付装置の自動的な昇降駆動が支障なく行われる。
【００１７】
（発明の効果）
本発明の第３特徴によると、本発明の第１又は第２特徴と同様に前項［Ｉ］［ＩＩ］に記載の「発明の効果」を備えており、これに加えて以下のような「発明の効果」を備えている。
本発明の第３特徴によると、リンク機構と苗植付装置との接続部分が検出部に干渉するようなことなく、リンク機構による苗植付装置の自動的な昇降駆動が支障なく行われるようになって、苗植付装置の植付性能を向上させることができた。
【００１８】
［ＩＶ］
（構成）
本発明の第４特徴は、本発明の第３特徴の乗用型田植機において次のように構成することにある。
機体の動力を苗植付装置に伝達する伝動軸を、リンク機構と苗植付装置との接続部分における検出部とは反対側の右又は左横側に配置する。
【００１９】
（作用）
本発明の第４特徴によると、本発明の第３特徴と同様に前項［Ｉ］〜［ＩＩＩ］に記載の「作用」を備えており、これに加えて以下のような「作用」を備えている。
前項［ＩＩＩ］に記載のように、検出部をリンク機構と苗植付装置との接続部分の右又は左横側に配置した場合に、本発明の第４特徴によると、機体の動力を苗植付装置に伝達する伝動軸を、リンク機構と苗植付装置との接続部分における検出部とは反対側の右又は左横側に配置しているので、検出部に関係なく伝動軸をリンク機構と苗植付装置との接続部分に接近させることができる。これにより、伝動軸に自在継手を使用した場合に、自在継手の折れ曲がりの角度を小さなものにすることができる。
【００２０】
（発明の効果）
本発明の第４特徴によると、本発明の第３特徴と同様に、前項［Ｉ］〜［ＩＩＩ］に記載の「発明の効果」を備えており、これに加えて以下のような「発明の効果」を備えている。
本発明の第４特徴によると、伝動軸に自在継手を使用した場合に、自在継手の折れ曲がりの角度を小さなものにすることができて、機体から苗植付装置に伝達される動力のトルク変動を抑えて、動力の伝動効率を良いものすることができた。
【００２１】
［Ｖ］
（構成）
本発明の第５特徴は、本発明の第４特徴の乗用型田植機において次のように構成することにある。
伝動軸の下方に対応するフロートの上部に、伝動軸との干渉を避ける凹部を備える。
【００２２】
（作用）
本発明の第５特徴によると、本発明の第４特徴と同様に前項［Ｉ］〜［ＩＶ］に記載の「作用」を備えており、これに加えて以下のような「作用」を備えている。
前項［ＩＶ］に記載の伝動軸はフロートの上方に位置しているので、フロートが上下動したり、リンク機構により苗植付装置を上昇駆動したりすると、フロートが伝動軸に接近する。
本発明の第５特徴によると、伝動軸の下方に対応するフロートの上部に、伝動軸との干渉を避ける凹部を備えているので、フロートが上下動したり、リンク機構により苗植付装置を上昇駆動したりしても、フロートと伝動軸とが干渉するようなことがない。
【００２３】
（発明の効果）
本発明の第５特徴によると、本発明の第４特徴と同様に前項［Ｉ］〜［ＩＶ］に記載の「発明の効果」を備えておりこれに加えて以下のような「発明の効果」を備えている。
本発明の第５特徴によると、フロートが上下動したり、リンク機構により苗植付装置を上昇駆動したりしても、フロートと伝動軸とが干渉するようなことがなく、フロートの上下動が円滑に行われるようになり、リンク機構による苗植付装置の上昇駆動が円滑に行われるようになった。
【発明を実施するための最良の形態】
【００２４】
［１］
図１及び図２に示すように、右及び左の前輪１、右及び左の後輪２により機体が支持され、機体にステップ４０及び運転席４４が支持されて、機体の後部にリンク機構３及びリンク機構３を昇降駆動する油圧シリンダ４が備えられており、リンク機構３に３条植型式の苗植付装置５が支持されて、３条植型式の乗用型田植機が構成されている。図３に示すように、リンク機構３は２本の上リンク３ａ及び２本の下リンク３ｂを備えて、側面視で平行四連リンクに構成されており、油圧シリンダ４によりリンク機構３が昇降駆動される場合、苗植付装置５が平行に昇降駆動される。
【００２５】
図１及び図２に示すように、苗植付装置５は、回転駆動される３つの植付アーム２１（植付機構に相当）、所定のストロークで往復横送り駆動される苗のせ台２２、苗のせ台２２に載置された苗を下方に送る縦送り機構２３、及びフロート２４等を備えて構成されている。ステップ４０における運転席４４の右及び左横側部に、合成樹脂製の予備苗のせ台４９が備えられ、ステップ４０における運転席４４の後側部に、金属製の予備苗のせ台５７が備えられている。
【００２６】
図１，３，１２，１３に示すように、ミッションケース５８に後輪支持ケース５９が一体的に構成されて機体の後部に配置されており、後輪支持ケース５９に対してミッションケース５８が斜め上方前方に位置している。後輪支持ケース５９の右及び左側部に軸支持部５９ａが備えられており、後輪支持ケース５９の右及び左の軸支持部５９ａに右及び左の後輪支持軸６０が回転自在に支持されている。右及び左の後輪支持軸６０が横外方に延出されて、右及び左の後輪支持軸６０に右及び左の後輪２が支持されており、後輪支持ケース５９の右及び左の軸支持部５９ａの内部において、右及び左の後輪支持軸６０に大径の減速ギヤ（図示せず）が固定されている。
【００２７】
図１に示すように、右及び左の前輪１を左右に操向自在に支持する前輪支持ケース６１が備えられており、前輪支持ケース６１とミッションケース５８とに亘って支持フレーム６２が連結されている。支持フレーム６２は丸パイプ状に構成されて機体の左右中央に位置しており、支持フレーム６２の内部に伝動軸（図示せず）が備えられている。運転席４４の下方にエンジン６３及びミッションケース５８が配置されており、エンジン６３のクランクケースが前側で、エンジン６３のシリンダが後側に位置するように、エンジン６３が後方に傾斜して配置されている。この場合、図２及び図１２に示すように、右及び左の前輪１の間隔と、右及び左の後輪２の間隔とが略同じものに設定されている。
【００２８】
以上の構造により、図１及び図１２に示すように、エンジン６３の動力が伝動ベルト６４を介してミッションケース５８に伝達され変速操作されて、右及び左の後輪２に伝達される。ミッションケース５８から伝動軸１３を介して苗植付装置５に動力が伝達されるのであり、動力が支持フレーム６２の伝動軸を介して前輪支持ケース６１に伝達され、右及び左の前輪１に伝達される。
【００２９】
［２］
次に、苗植付装置５の支持構造について説明する。
図４及び図６に示すように、板金材を折り曲げて構成された支持リンク６がリンク機構３の上及び下リンク３ａ，３ｂの後部に取り付けられており、支持リンク６の下部にボス部材７が固定されて、ボス部材７に苗植付装置５が支持されている。角パイプで構成された支持フレーム８が苗植付装置５の左右方向に配置され、支持フレーム８に支持軸９が前向きに固定されて、支持軸９がボス部材７に回転自在に支持されており、これによって苗植付装置５がボス部材７の前後軸芯Ｐ１周りにローリング自在に支持されている。平面視において苗植付装置５の前後軸芯Ｐ１が苗植付装置５の左右中央Ａ１に一致しており、平面視において苗植付装置５の前後軸芯Ｐ１、苗植付装置５の左右中央Ａ１及び機体の左右中央が一致している。
【００３０】
図４及び図６に示すように、支持軸９の右及び左側において、支持フレーム８に右及び左のアーム１０が固定されて前方に延出されており、右及び左のアーム１０に硬質ゴム製の規制部材１０ａが固定されている。リンク機構３の下リンク３ｂに受け部材３ｃが固定されて、リンク機構３の受け部材３ｃが右及び左のアーム１０の規制部材１０ａの前部の上方に位置している。支持リンク６とリンク機構３の下リンク３ｂとを接続する連結軸３ｄが、苗植付装置５の左右方向に延出されており、リンク機構３の連結軸３ｄが右及び左のアーム１０の規制部材１０ａの後部の上方に位置している。
【００３１】
図４及び図６に示すように、苗植付装置５を下降駆動している状態で、リンク機構３の受け部材３ｃ及び連結軸３ｄが右及び左のアーム１０の規制部材１０ａから上方に離れており、苗植付装置５が前後軸芯Ｐ１周りにローリングするのであり、右及び左のアーム１０の規制部材１０ａがリンク機構３の連結軸３ｄに接当することにより、苗植付装置５のローリング限界が決められる。苗植付装置５を上限位置に上昇駆動すると、リンク機構３の受け部材３ｃが右及び左のアーム１０の規制部材１０ａに接当する状態となって、苗植付装置５が前後軸芯Ｐ１周りにローリングしないように固定される。
【００３２】
図３，４，６に示すように、鋳物製で左右２分割構造の伝動ケース１１が、支持フレーム８の左端部に連結されて後方に延出されている（苗植付装置５の左右中央Ａ１から左側に偏位して伝動ケース１１が配置される状態）。図１，４，５に示すように、右及び左の前輪１、右及び左の後輪２が接地した状態において、接地面に対し伝動ケース１１が前上がり姿勢となるように構成されている（接地面から伝動ケース１１の後部までの高さよりも、接地面から伝動ケース１１の前部までの高さが高い状態）。
【００３３】
図３及び図５に示すように、ミッションケース５８の後部の上部に出力軸４３が後方に突出するように備えられており、右及び左の前輪１、右及び左の後輪２が接地した状態において、接地面に対し出力軸４３が後下がり姿勢となるように構成されている。図４，５，６，９に示すように、伝動ケース１１の前部における右側部（苗植付装置５の左右中央Ａ１側の部分）に、入力軸１２が前方に突出するように備えられており、右及び左の前輪１、右及び左の後輪２が接地した状態において、接地面に対し入力軸１２が前上がり姿勢となるように構成されている。出力軸４３に伝動軸１３が自在継手１４を介して接続されており、入力軸１２に伝動軸１３が自在継手１４を介して接続されている。
【００３４】
図５に示すように、伝動ケース１１と入力軸１２とが互いに平行になるように構成されており、出力軸４３と入力軸１２（伝動ケース１１）とが互いに平行になるように構成されている。これにより、前項［１］に記載のように、リンク機構３が側面視で平行四連リンクに構成されていることによって、リンク機構３により苗植付装置５の位置が上下に変更されても、出力軸４３と入力軸１２（伝動ケース１１）とが互いに平行になる状態は変化しない。
【００３５】
［３］
次に、植付アーム２１の回転駆動構造について説明する。
図６及び図９に示すように、伝動ケース１１の前部の内部に出力軸１５が苗植付装置５の左右方向に備えられて、伝動軸１５に固定されたベベルギヤ１５ａが、入力軸１２に固定されたベベルギヤ１２ａに咬合している。伝動ケース１１の後部に駆動軸１６が苗植付装置５の左右方向に備えられており、駆動軸１６に固定されたスプロケット１６ａと、伝動軸１５に固定されたスプロケット１５ｂとに亘って、伝動チェーン１７が巻回されている。
【００３６】
図４及び図６に示すように、駆動軸１６が伝動ケース１１の後部から右及び左の横側方に突出しており、駆動軸１６の右及び左の端部に駆動アーム１８が固定され、駆動アーム１８に植付アーム２１が回転自在に支持されている。板材をコ字状に折り曲げて構成された支持部材４５が伝動ケース１１の後部に固定され、支持部材４５の後部に右及び左のアーム１９が前後に揺動自在に支持されており、伝動ケース１１の右及び左の植付アーム２１に、右及び左のアーム１９が回転自在に接続されている。これにより、伝動ケース１１の右の植付アーム２１が、苗植付装置５の左右中央Ａ１に位置している（図６参照）。
【００３７】
図６に示すように、板金製（板金材）の角パイプにより支持フレーム２０が構成されており、支持フレーム２０が支持フレーム８の右側部に連結されて後方に延出されている（苗植付装置５の左右中央Ａ１に対し伝動ケース１１とは反対側の右側に偏位して支持フレーム２０が配置される状態）。この場合、平面視において、苗植付装置５の左右中央Ａ１から伝動ケース１１までの距離と、苗植付装置５の左右中央Ａ１から支持フレーム２０までの距離とが略同じものとなっている。
【００３８】
図６に示すように、板金製（板金材）の丸パイプにより支持フレーム２５が構成されており、支持フレーム２５が支持フレーム２０の後端に苗植付装置５の左右方向に固定されている。伝動軸２６が支持フレーム２５に回転自在に支持されて伝動ケース１１の右の植付アーム２１に向けて延出されており、伝動軸２６の左の端部に駆動アーム１８が固定されている。伝動軸２６の右の端部に駆動アーム１８が固定され、駆動アーム１８に植付アーム２１が回転自在に支持されている。板材をＬ字状に折り曲げて構成された支持部材２７が支持フレーム２５の後部に固定され、支持部材２７の後部にアーム１９が前後に揺動自在に支持されており、支持フレーム２０の植付アーム２１にアーム１９が回転自在に接続されている。
【００３９】
図６及び図１０に示すように、伝動ケース１１の右の植付アーム２１の右側部に穴部２１ａが形成されており、伝動ケース１１の右の植付アーム２１と支持フレーム２０の植付アーム２１とは同じものである。伝動ケース１１の右の植付アーム２１の穴部２１ａに雌ネジが形成されており、側面視で三角形状の基板４１ａを備えた支持軸４１が用意されている。これにより、伝動ケース１１の右の植付アーム２１の穴部２１ａに、支持軸４１の基板４１ａがボルト４２により連結されており、伝動軸２６の左の駆動アーム１８が支持軸４１に回転自在に接続されている。
【００４０】
以上の構造により、図５及び図６に示すように、出力軸４３の動力が伝動軸１３、自在継手１４、入力軸１２、伝動軸１５及び伝動チェーン１７を介して駆動軸１６に伝達されて、伝動ケース１１の右及び左の植付アーム２１が回転駆動されるのであり、伝動ケース１１の右の植付アーム２１を介して伝動軸２６に動力が伝達されて、支持フレーム２０の植付アーム２１が回転駆動される。これにより、伝動ケース１１の右及び左の植付アーム２１、支持フレーム２０の植付アーム２１が、苗のせ台２２の下部（後述する支持レール４６の苗取り出し口４６ａ）から苗を取り出して田面に植え付ける。
【００４１】
［４］
次に、苗のせ台２２の往復横送り駆動の構造について説明する。
図３，６，７に示すように、伝動ケース１１の前部の左側部に、平板状の支持部材２８が固定されて上方に延出されており、丸パイプ状の支持部材２９が支持部材２８に固定されて上方に延出されている。支持フレーム８の右の端部に平板状の支持部材３１が固定されて上方に延出されており、丸パイプ状の支持部材３０が支持部材３１に固定されて上方に延出されている。図７及び図８に示すように、右及び左の支持部材２８，３１に合成樹脂製のブッシュ３２が取り付けられて、右及び左のブッシュ３２に横送り軸３３の右及び左側部が回転自在に支持されている。
【００４２】
この場合、図７に示すように、平面視において、苗植付装置５の左右中央Ａ１から左の支持部材２８，２９までの距離よりも、苗植付装置５の左右中央Ａ１から右の支持部材３０，３１までの距離が長いものとなっている（苗植付装置５の左右中央Ａ１に対し伝動ケース１１と同じ側に位置する左の支持部材２８，２９よりも、苗植付装置５の左右中央Ａ１に対し伝動ケース１１の反対側に位置する右の支持部材３０，３１が、苗植付装置５の左右中央Ａ１から横外側の遠い位置に配置される状態）。右及び左の支持部材２８，２９，３０，３１（右及び左のブッシュ３２）に横送り軸３３の右及び左側部が回転自在に支持されることにより、苗植付装置５の左右中央Ａ１の右及び左側に亘って横送り軸３３が回転自在に支持される状態となっている。
【００４３】
図６，７，８，９に示すように、伝動軸１５の左の端部にスプロケット１５ｃが固定され、横送り軸３３における左の支持部材２８の横外側の部分にスプロケット３３ｂが固定されており、伝動軸１５のスプロケット１５ｃと横送り軸３３のスプロケット３３ｂとに亘って伝動チェーン３７が巻回されている（伝動ケース１１の前部における苗植付装置５の横外側の部分に、伝動チェーン３７が備えられた状態）。伝動軸１５のスプロケット１５ｃ、横送り軸３３のスプロケット３３ｂ及び伝動チェーン３７を覆うカバー３８が備えられて、カバー３８が左の支持部材２８に固定されている。
【００４４】
図７及び図８に示すように、横送り軸３３の外周部に螺旋溝３３ａが形成されて、円筒状の送り部材３４が横送り軸３３に回転自在に外嵌されており、送り部材３４に支持された送り部材３５の先端が、横送り軸３３の螺旋溝３３ａに挿入されている。苗のせ台２２と送り部材３４とが接続されており、伸縮自在なゴム製のカバー３９が送り部材３４と右及び左のブッシュ３２とに亘って接続されて、カバー３９により横送り軸３３が覆われている。
【００４５】
図３，４，６に示すように、伝動ケース１１及び支持フレーム２０に支持レール４６が支持されて、苗のせ台２２の下部が支持レール４６に横移動自在に支持されている。図３，４，１１に示すように、苗植付装置５の左右方向に沿って支持レール３６が苗のせ台２２の上部に固定されており、右及び左の支持部材２９，３０の上部に、支持レール３６が横移動自在に支持されている。これにより、図７及び図８に示すように、横送り軸３３が回転駆動されると、横送り軸３３の螺旋溝３３ａに沿って送り部材３４，３５が、所定のストロークで往復横送り駆動されて、苗のせ台２２が所定のストロークで往復横送り駆動される。
【００４６】
図６及び図７に示すように、平面視において、伝動ケース１１の左の植付アーム２１と支持フレーム２０の植付アーム２１との間に、伝動ケース１１、支持フレーム８，２０、横送り軸３３、伝動チェーン３７及びカバー３８等が配置されており、前項［３］に記載のように、苗植付装置５の左右中央Ａ１から伝動ケース１１までの距離と、苗植付装置５の左右中央Ａ１から支持フレーム２０までの距離とが略同じものとなっている。平面視において、伝動ケース１１の右及び左の植付アーム２１の間に、伝動ケース１１、入力軸１２、伝動チェーン３７及びカバー３８等が配置されている。
【００４７】
［５］
次に、苗のせ台２２に備えられた縦送り機構２３の構造について説明する。
図２及び図１１に示すように、苗のせ台２２は３つの苗のせ面２２ａが備えられて、３つの苗のせ面２２ａの各々に縦送り機構２３が備えられている。図１１に示すように、苗のせ台２２の略全幅に亘る支持軸４７が苗のせ台２２の中間部に支持され、支持軸４７に回転自在に支持された従動ローラー５３が、苗のせ面２２ａに形成された開口２２ｂに配置されている。
【００４８】
図１１に示すように、苗のせ台２２の略全幅に亘る断面六角状の駆動軸４８が苗のせ台２２の下部に配置されて、苗のせ台２２の裏面に固定された右及び左のブラケット５０に駆動軸４８が回転自在に支持されている。駆動軸４８に駆動ローラー５１が固定され、駆動ローラー５１が苗のせ面２２ａの開口２２ｃに配置されており、表面に多数の突起を備えた縦送りベルト５２が駆動及び従動ローラー５１，５３に亘って巻回されている。図３，４，１１に示すように、駆動軸４８の右及び左の端部にワンウェイクラッチ５４が外嵌されて、ワンウェイクラッチ５４に入力アーム５４ａが備えられており、入力アーム５４ａが所定位置に戻るように付勢するバネ５５が備えられている。図３，７，８に示すように、横送り軸３３における右及び左の支持部材２８，３１の横外側の部分に、縦送りアーム５６が固定されている。
【００４９】
以上の構造により、図７及び図１１に示すように、横送り軸３３の右及び左の縦送りアーム５６の右及び左の横外側に、右及び左のワンウェイクラッチ５４の入力アーム５４ａが位置しており、横送り軸３３の右及び左の縦送りアーム５６は横送り軸３３と一緒に回転駆動されている。これにより、前項［４］に記載のように、苗のせ台２２が右に横送り駆動されると、右のワンウェイクラッチ５４の入力アーム５４ａが、横送り軸３３の右の縦送りアーム５６から右の横外側に離れていくのであり、左のワンウェイクラッチ５４の入力アーム５４ａが、横送り軸３３の左の縦送りアーム５６の左の横外側から横送り軸３３の左の縦送りアーム５６に接近していく。
【００５０】
従って、図７及び図１１に示すように、苗のせ台２２が往復横送り駆動の右のストロークエンドに達すると、左のワンウェイクラッチ５４の入力アーム５４ａが横送り軸３３の左の縦送りアーム５６の位置に達して、横送り軸３３の左の縦送りアーム５６により左のワンウェイクラッチ５４の入力アーム５４ａが所定位置から上方に駆動されて、左のワンウェイクラッチ５４により駆動軸４８及び縦送りベルト５２が回転駆動され（苗のせ面２２ａの各々の縦送り機構２３が駆動され）、苗のせ台２２に載置された苗が下方（支持レール４６）に送られる。
【００５１】
図７及び図１１に示すように、苗のせ台２２が左に横送り駆動されると、左のワンウェイクラッチ５４の入力アーム５４ａが、横送り軸３３の左の縦送りアーム５６から左の横外側に離れていくのであり、右のワンウェイクラッチ５４の入力アーム５４ａが、横送り軸３３の右の縦送りアーム５６の右の横外側から横送り軸３３の右の縦送りアーム５６に接近していく。これにより、苗のせ台２２が往復横送り駆動の左のストロークエンドに達すると、右のワンウェイクラッチ５４の入力アーム５４ａが横送り軸３３の右の縦送りアーム５６の位置に達して、横送り軸３３の右の縦送りアーム５６により右のワンウェイクラッチ５４の入力アーム５４ａが所定位置から上方に駆動されて、右のワンウェイクラッチ５４により駆動軸４８及び縦送りベルト５２が回転駆動され（苗のせ面２２ａの各々の縦送り機構２３が駆動され）、苗のせ台２２に載置された苗が下方（支持レール４６）に送られる。
【００５２】
［６］
次に、フロート２４の構造について説明する。
図１２及び図１３に示すように、右及び左の後輪２の間隔よりも少し広い横幅を備えてフロート２４が構成されている。図１４及び図１５（イ）に示すように、フロート２４の後部左右の２箇所に支持ブラケット６５が固定されて、フロート２４の前部左右中央の少し右横側の１箇所に支持ブラケット６６が固定されており、支持ブラケット６５に３個の連結孔６５ａ（丸孔）が形成されている。
【００５３】
図１４及び図１５（イ）に示すように、伝動ケース１１の後部下部に支持ブラケット（図示せず）が備えられて、支持フレーム２０の後部下部に支持ブラケット２０ａが固定されており、着脱自在な連結ピン６７により、支持ブラケット６５（所望の連結孔６５ａ）が、伝動ケース１１の支持ブラケット及び支持フレーム２０の支持ブラケット２０ａに取り付けられている。これにより、連結ピン６７周りに、フロート２４の前部が上下に揺動自在に支持されている。この場合、前項［２］の記載、図１，４，５に示すように、右及び左の前輪１、右及び左の後輪２が接地した状態において、接地面に対し伝動ケース１１が前上がり姿勢となるように構成されていることにより（接地面から伝動ケース１１の後部までの高さよりも、接地面から伝動ケース１１の前部までの高さが高い状態となっていることにより）、フロート２４の前部の上下揺動の範囲が比較的大きなものに設定されている。
【００５４】
図１２及び図１３に示すように、フロート２４の底部は高さの異なる２種類の底部で構成されており、中央の第１底部２４ａ、右及び左の第２底部２４ｂ、右及び左の第３底部２４ｃ、右及び左の第４底部２４ｄによって構成されている。フロート２４の第１底部２４ａ、右及び左の第３底部２４ｃが同じ高さとなっており、フロート２４の前端から後端に亘っている。フロート２４の右及び左の第２底部２４ｂ、右及び左の第４底部２４ｄが同じ高さとなっており、フロート２４の前端から後端に亘っている。フロート２４の第１底部２４ａ、右及び左の第３底部２４ｃよりも、フロート２４の右及び左の第２底部２４ｂ、右及び左の第４底部２４ｄが高くなっている（浅くなっている）。
【００５５】
図１２に示すように、フロート２４の第１底部２４ａは苗植付装置５の左右中央Ａ１に位置して前側が先細り状に形成されており、フロート２４の右及び左の第２底部２４ｂは前側が先広がり状に形成されている。フロート２４の右及び左の第３底部２４ｃは前側が先細り状に形成されており、フロート２４の右及び左の第４底部２４ｄは前側が苗植付装置５の左右中央Ａ１側に広がるように形成されている。
【００５６】
図１２及び図１３に示すように、右の前輪１及び後輪２の後方に、フロート２４の右の第４底部２４ｄが位置しており（右の前輪１及び後輪２の通過跡をフロート２４の右の第４底部２４ｄが通過して整地する状態）、左の前輪１及び後輪２の後方に、フロート２４の左の第４底部２４ｄが位置している（左の前輪１及び後輪２の通過跡をフロート２４の左の第４底部２４ｄが通過して整地する状態）。
【００５７】
図１２及び図１３に示すように、後輪支持ケース５９の右の軸支持部５９ａの後方に、フロート２４の右の第２底部２４ｂが位置しており（後輪支持ケース５９の右の軸支持部５９ａの通過跡をフロート２４の右の第２底部２４ｂが通過して整地する状態）、後輪支持ケース５９の左の軸支持部５９ａの後方に、フロート２４の左の第２底部２４ｂが位置している（後輪支持ケース５９の左の軸支持部５９ａの通過跡をフロート２４の左の第２底部２４ｂが通過して整地する状態）。
【００５８】
図１２及び図１３に示すように、伝動ケース１１の右の植付アーム２１が苗植付装置５の左右中央Ａ１に位置しており、フロート２４の第１底部２４ａの後方に位置している。伝動ケース１１の左の植付アーム２１及び支持フレーム２０の植付アーム２１が、フロート２４の右及び左の第３底部２４ｃの後方に位置している。これにより、図１２及び図１３に示すように、後輪支持ケース５９の右及び左の軸支持部５９ａの間、後輪支持ケース５９の左の軸支持部５９ａと左の後輪２との間に、伝動ケース１１の右及び左の植付アーム２１の植付位置（苗Ｂ）（植付条）が位置し、後輪支持ケース５９の右の軸支持部５９ａと右の後輪２との間に、支持フレーム２０の植付アーム２１の植付位置（苗Ｂ）（植付条）が位置している。伝動ケース１１の右及び左の植付アーム２１の植付位置（苗Ｂ）（植付条）、支持フレーム２０の植付アーム２１の植付位置（苗Ｂ）（植付条）が、右及び左の前輪１の間、右及び左の後輪２の間に位置している。
【００５９】
図１４に示すように、平面視において支持ブラケット６６が支持軸９及び右のアーム１０の右横側に配置されている。図１５（イ）（ロ）に示すように、細長い板材を逆Ｌ字状に折り曲げて構成された案内部材６８（検出部に相当）が、連結ピン７１を介して前後に揺動自在に支持ブラケット６６に支持されており、案内部材６８が支持軸９及び右のアーム１０の右横側に配置されている。
【００６０】
図１５（イ）（ロ）に示すように、ワイヤ６９（検出部に相当）のアウター６９ａの一方の端部が案内部材６８の上部に固定されて、ワイヤ６９のインナー６９ｂの一方の端部に、コイル状のバネ７０が取り付けられている。バネ７０の下端にリング状の取付部７０ａが備えられ、案内部材６８に長孔６８ａが形成されており、バネ７０の上端部７０ｂが案内部材６８の長孔６８ａに挿入されている。右のアーム１０に固定されたピン１０ｂが案内部材６８の長孔６８ａに挿入されており、バネ７０の取付部７０ａが右のアーム１０のピン１０ｂに取り付けられている。
【００６１】
図６，１４，１６に示すように、伝動ケース１１の前部における右側部（苗植付装置５の左右中央Ａ１側の部分）に、入力軸１２が前方に突出するように備えられており、入力軸１２、伝動軸１３及び自在継手１４が、支持軸９及び左のアーム１０の左横側に配置されている。伝動軸１３の下方に対応するフロート２４の前部の上部に凹部２４ｅが形成されており、苗植付装置５を上限位置に上昇駆動しても、伝動軸１３がフロート２４の凹部２４ｅに入り込む状態（対向する状態）となるのであり、苗植付装置５を上限位置に上昇駆動しても、フロート２４が伝動軸１３に干渉することはない。
【００６２】
［７］
次に、苗植付装置５の昇降制御について説明する。
ミッションケース５８の前部に制御弁（図示せず）が備えられており、図１５（イ）（ロ）に示すワイヤ６９のインナー６９ｂの他方の端部が制御弁に接続されている。図１及び図２に示すように、位置保持及び位置変更自在な感度調節レバー７２が運転席４４の右横側に備えられており、ワイヤ６９のアウター６９ａの他方の端部が感度調節レバー７２に接続されている。昇降レバー７３が運転席４４の右横側に備えられており、苗植付装置５に動力を伝動及び遮断自在自在な植付クラッチ（図示せず）及び制御弁を昇降レバー７３によって操作する。
【００６３】
以上の構造によって、昇降レバー７３を上昇位置に操作すると、植付クラッチが遮断側に操作された状態で、制御弁から油圧シリンダ４に作動油が供給されて油圧シリンダ４が収縮作動し、苗植付装置５が上昇駆動される。昇降レバー７３を中立位置に操作すると、植付クラッチが遮断側に操作された状態で、制御弁が中立位置に操作されて油圧シリンダ４が停止し、苗植付装置５の昇降駆動が停止する。昇降レバー７３を下降位置に操作すると、植付クラッチが遮断側に操作された状態で、油圧シリンダ４から作動油が排出されて油圧シリンダ４が伸長作動し、苗植付装置５が下降駆動される。
【００６４】
フロート２４が田面に接地した状態で、昇降レバー７３を植付位置に操作すると、植付クラッチが伝動側に操作されて、前項［３］［４］［５］に記載のように、苗のせ台２２が往復横送り駆動されながら、伝動ケース１１の右及び左の植付アーム２１、支持フレーム２０の植付アーム２１が回転駆動されて、苗が田面に植え付けられる。これと同時に、苗の植付深さが設定値に維持されるように、苗植付装置５の昇降制御が以下のように行われる。
【００６５】
田面に接地追従するフロート２４に対して苗植付装置５が上下動すると、図１５（イ）（ロ）に示すように、連結ピン６７周りにフロート２４の前部が上下に揺動することになり、案内部材６８によりワイヤ６９のアウター６９ａの一方の端部が上下動操作され、ワイヤ６９のインナー６９ｂの一方の端部が押し引き操作された状態となって、ワイヤ６９のインナー６９ｂにより制御弁が操作される。これにより制御弁から油圧シリンダ４に作動油が供給及び排出されて、油圧シリンダ４が収縮及び伸長作動し、苗植付装置５が田面から設定高さに維持されるように（苗の植付深さが設定値に維持されるように）、苗植付装置５が自動的に昇降駆動される。
【００６６】
図１５（イ）に示すように、連結ピン６７を支持ブラケット６５から取り外して、支持ブラケット６５の異なる連結孔６５ａに取り付けることにより、苗植付装置５（伝動ケ−ス１１及び支持フレーム２０）に対するフロート２４の後部の高さを変更する。この場合に、フロート２４の姿勢が少し上向き又は少し下向きになるので、感度調節レバー７２（図２参照）を操作して、ワイヤ６９のアウター６９ａの他方の端部の位置を変更することにより、ワイヤ６９のインナー６９ｂの一方の端部の出る量を変更して、苗植付装置５（伝動ケ−ス１１及び支持フレーム２０）に対してフロート２４が平行になるようにする。これによって、苗植付装置５（伝動ケ−ス１１及び支持フレーム２０）に対するフロート２４の高さを変更することができるのであり、前述のように苗植付装置５が維持される田面からの設定高さを変更して、苗の植付深さを変更することができる。
【００６７】
前述のように苗植付装置５（伝動ケ−ス１１及び支持フレーム２０）に対してフロート２４を平行にした状態において、感度調節レバー７２（図２参照）を操作して、ワイヤ６９のアウター６９ａの他方の端部の位置を変更し、ワイヤ６９のインナー６９ｂの一方の端部の出る量を変更して、フロート２４の姿勢を少し上向き又は少し下向きに変更する。フロート２４の姿勢が上向きになると、フロート２４が田面に接地する面積が小さくなって、フロート２４の前部の上下の揺動が鈍感なものとなり、前述の苗植付装置５の昇降制御が鈍感になる。逆にフロート２４の姿勢が下向きになると、フロート２４が田面に接地する面積が大きくなって、フロート２４の前部の上下の揺動が敏感なものとなり、前述の苗植付装置５の昇降制御が敏感になる。
【００６８】
［発明の実施の第１別形態］
前述の［発明を実施するための最良の形態］において次のように構成してもよい。
図１２及び図１３に示すフロート２４の第１底部２４ａ、右及び左の第３底部２４ｃを同じ高さに設定し、フロート２４の第１底部２４ａ、右及び左の第３底部２４ｃよりも、フロート２４の右及び左の第２底部２４ｂを高く設定して（浅く設定して）、フロート２４の右及び左の第２底部２４ｂよりも、フロート２４の右及び左の第４底部２４ｄを高く設定する（浅く設定する）。
【００６９】
［発明の実施の第２別形態］
前述の［発明を実施するための最良の形態］及び［発明の実施の第１別形態］において次のように構成してもよい。
図６，７，１４において、伝動ケース１１を支持軸９（苗植付装置５の左右中央Ａ１）から右側に偏位して配置し、支持フレーム２０を支持軸９（苗植付装置５の左右中央Ａ１）から左側に偏位して配置する。フロート２４の前部左右中央の少し左横側の１箇所に支持ブラケット６６を固定し、平面視において支持ブラケット６６を支持軸９及び左のアーム１０の左横側に配置する。伝動ケース１１の前部における左側部（苗植付装置５の左右中央Ａ１側の部分）に、入力軸１２を前方に突出するように備えて、入力軸１２、伝動軸１３及び自在継手１４を支持軸９及び右のアーム１０の右横側に配置する。
【００７０】
［発明の実施の第３別形態］
前述の［発明を実施するための最良の形態］及び［発明の実施の第１別形態］［発明の実施の第２別形態］において支持フレーム２０を廃止し、支持フレーム２０の位置に伝動ケース１１（右及び左の植付アーム２１を備えている）を配置して、複数の伝動ケース１１を備えて苗植付装置５を構成してもよい。
この場合、苗植付装置５は３条植型式ではなく４条植以上の型式となるので、フロート２４の右及び左横側に別のフロート（図示せず）を備えるように構成してもよい。又、植付アーム２１に代えて、回転ケース（図示せず）に２組の植付アーム（図示せず）を備えて、回転ケースの回転に伴って２組の植付アームにより苗の植え付けを行うロータリ式の植付機構に構成してもよい。
【図面の簡単な説明】
【００７１】
【図１】乗用型田植機の全体側面図
【図２】乗用型田植機の全体平面図
【図３】リンク機構及び苗植付装置の付近の側面図
【図４】苗植付装置の側面図
【図５】リンク機構及び伝動ケースの付近の縦断側面図
【図６】苗植付装置の横断平面図
【図７】苗植付装置の横断平面図（横送り軸を含む）
【図８】横送り軸の付近の横断平面図
【図９】伝動ケースの前部の付近の横断平面図
【図１０】伝動ケースの右の植付アームの横断平面図
【図１１】苗のせ台及び縦送り機構の付近の正面図
【図１２】右及び左の前輪、右及び左の後輪、後輪支持ケース、フロートの配置を示す平面図
【図１３】右及び左の後輪、後輪支持ケース、フロートの配置を示す背面図
【図１４】苗植付装置の横断平面図（フロートを含む）
【図１５】（イ）フロートの側面図、（ロ）フロートの前部のワイヤの付近の縦断正面図
【図１６】フロート、伝動ケース及び伝動軸の付近の側面図
【符号の説明】
【００７２】
１              右及び左の前輪
２              右及び左の後輪
３              リンク機構
５              苗植付装置
１３            伝動軸
２１            植付機構
２４            フロート
２４ａ，２４ｃ  フロートの底部
２４ｂ，２４ｄ  フロートの底部
２４ｅ          フロートの凹部
５９            後輪支持ケース
５９ａ          後輪支持ケースの右及び左の軸支持部
６０            後輪支持軸
６８，６９      検出部
【図１】
2005333819.tif 000003
【図２】
2005333819.tif 000004
【図３】
2005333819.tif 000005
【図４】
2005333819.tif 000006
【図５】
2005333819.tif 000007
【図６】
2005333819.tif 000008
【図７】
2005333819.tif 000009
【図８】
2005333819.tif 000010
【図９】
2005333819.tif 000011
【図１０】
2005333819.tif 000012
【図１１】
2005333819.tif 000013
【図１２】
2005333819.tif 000014
【図１３】
2005333819.tif 000015
【図１４】
2005333819.tif 000016
【図１５】
2005333819.tif 000017
【図１６】
2005333819.tif 000018